(57)【要約】【課題】従来、オーバーヘッド型ヘッドホンを保管する時、長いコードは束ねてまとめると絡みつき、再度使う時にスムーズに取り出すことが困難であった。又、コードを巻き取っても、ピンジャックやヘッドホン本体は固定されないので、何かに引っ掛けて破損することが多かった。  本発明は、ヘッドホンのコードを絡みなく巻き付け、ピンジャックとヘッドホン本体を固定して破損から保護するためのヘッドホンコード巻き付け具を提供する。【解決手段】  ヘッドホンのコードを巻き付ける巻き付け軸を設け、両側にコード収納板を設ける。ピンジャック側のコード収納板のふちの一ヶ所にピンジャック側のコードを引っ掛ける深い溝を設け、外側にピンジャック固定具を設ける。ヘッドホン本体側のコード収納板のふちにヘッドホン本体側のコードを引っ掛ける浅い溝を多数設け、外側にヘッドホン固定具を設ける。コード収納板の中央にヘッドホンコード巻き付け具固定用穴を設ける。【選択図】図１
2012222805.tif 000002
【特許請求の範囲】
【請求項１】
ヘッドホンのコードを巻き付ける丸い輪っか状の巻き付け軸を設け、両側にコード収納板を設け、ピンジャック側のコード収納板のふちの一ヶ所にピンジャック側のコードを引っ掛ける、巻き付け軸まで届く深い溝を設け、コード収納板の外側にピンジャックを固定させるピンジャック固定具を設け、ヘッドホン本体側のコード収納板のふちにヘッドホン本体側のコードを引っ掛ける浅い溝を多数設け、コード収納板の外側にヘッドホン本体を固定させるヘッドホン固定具を設け、コード収納板の中央にヘッドホンコード巻き付け具本体を固定させるヘッドホンコード巻き付け具固定用穴を設けたヘッドホンコード巻き付け具。
【発明の詳細な説明】
【技術分野】
【０００１】  本発明は、オーバーヘッド型ヘッドホンのコードを絡みなく巻き付け、ピンジャックとヘッドホン本体を破損から保護するためのヘッドホンコード巻き付け具に関するものである。
【背景技術】
【０００２】  従来、オーバーヘッド型ヘッドホンを保管する時、長いコードは束ねて無造作に置いておくか、針金などでまとめられていた。
なお、インナーイヤー型ヘッドホンのコードを巻き取る道具として、コード巻き取り器が知られている（特許文献１〜２参照）。
【特許文献１】特開  ２００２−０２９６６３号公報
【特許文献２】特開  ２０１０−１４９９９０号公報
【発明の開示】
【発明が解決しようとする課題】
【０００３】  従来、オーバーヘッド型ヘッドホンを保管する時、専用の巻き付け具がないので、長いコードは束ねて無造作に置かれたり、針金などでまとめられることが多く、絡まったり引っ掛かったりしてしまい、再度使う時にヘッドホン本体からピンジャックまで通じるコードをスムーズに取り出すことが困難であった。又、コードを巻き取る道具に巻き取っても、ピンジャックやヘッドホン本体は固定されないので、何かに引っ掛けたりぶつけたりしてコードの根元部分の破損につながることが多かった。
本発明は、以上の問題点を解決するためになされたものである。
【課題を解決するための手段】
【０００４】  ヘッドホンのコードを巻き付ける丸い輪っか状の巻き付け軸を設け、両側にコード収納板を設ける。ピンジャック側のコード収納板のふちの一ヶ所にピンジャック側のコードを引っ掛ける、巻き付け軸まで届く深い溝を設け、コード収納板の外側にピンジャックを固定させるピンジャック固定具を設ける。ヘッドホン本体側のコード収納板のふちにヘッドホン本体側のコードを引っ掛ける浅い溝を多数設け、コード収納板の外側にヘッドホン本体を固定させるヘッドホン固定具を設ける。コード収納板の中央にヘッドホンコード巻き付け具本体を固定させるヘッドホンコード巻き付け具固定用穴を設ける。
以上の構成よりなるヘッドホンコード巻き付け具。
【発明の効果】
【０００５】  従来、オーバーヘッド型ヘッドホンを保管する時、専用の巻き付け具がないので、長いコードは束ねて無造作に置かれたり、針金などでまとめられることが多く、絡まったり引っ掛かったりしてしまいがちだったが、本発明により、ピンジャック側のコードを巻き付け軸の最底部から順に巻いて行き、ヘッドホン本体側のコードを多数設けられたコード引っ掛け溝のほど良い溝に固定して収納することにより、再度使う時に絡むことなくスムーズに取り出すことを可能とした。又、ピンジャックやヘッドホン本体は、何かに引っ掛けたりぶつけたりして、コードの根元部分を破損することが多かったが、本発明により、固定具に固定することで破損から保護することを可能とした。
なお、本発明は、インナーイヤー型ヘッドホンを巻き付けることも可能である。
【発明を実施するための最良の形態】
【０００６】  以下、本発明の実施の形態を説明する。
（イ）ヘッドホンのコードを巻き付ける丸い輪っか状の巻き付け軸（２）を設け、両側に      ピンジャック側コード収納板（１）とヘッドホン本体側コード収納板（４）を設け      る。
（ロ）ピンジャック側コード収納板（１）のふちの一ヶ所にピンジャック側のコードを引      っ掛ける、巻き付け軸（２）まで届く深いピンジャックコード引っ掛け溝（３）を      設ける。
（ハ）ピンジャック側コード収納板（１）の外側にピンジャック（１１）を固定させるピ      ンジャック固定具（６）を設ける。
（ニ）ヘッドホン本体側コード収納板（４）のふちにヘッドホン本体側のコードを引っ掛      ける浅いヘッドホン本体側コード引っ掛け溝（５）を多数設ける。
（ホ）ヘッドホン本体側コード収納板（４）の外側にヘッドホン本体を固定させるオーバ      ーヘッド型ヘッドホン固定具（７）とインナーイヤー型ヘッドホン固定具（８）を      設ける。
（ヘ）ピンジャック側コード収納板（１）とヘッドホン本体側コード収納板（４）の中央      にヘッドホンコード巻き付け具本体を固定させるヘッドホンコード巻き付け具固定      用穴（９）を設ける。
（ト）ヘッドホンコード巻き付け具本体のヘッドホンコード巻き付け具固定用穴（９）に      差し込んでヘッドホンコード巻き付け具本体を固定する、ヘッドホンコード巻き付      け具固定具（１０）を設ける。
本発明は、以上のような構造である。
本発明を使用する時は、ヘッドホンのピンジャック（１１）をピンジャック固定具（６）に固定し、ピンジャック（１１）につながるコードをピンジャックコード引っ掛け溝（３）に引っ掛け、巻き付け軸（２）まで届くように下へ押し込む。残りのコードは巻き付け軸（２）の底部に沿って巻き付けて行き、ヘッドホン本体付近までコードを巻き終えたら、ヘッドホン本体側コード引っ掛け溝（５）のほど良い距離の溝にコードを引っ掛け、オーバーヘッド型ヘッドホン（１２）を巻き付けた時は、オーバーヘッド型ヘッドホン固定具（７）にヘッドホン本体をはめ込んで固定し、インナーイヤー型ヘッドホン（１３）を巻き付けた時は、インナーイヤー型ヘッドホン固定具（８）にヘッドホン本体をはめ込んで固定する。さらに、ピンジャック側コード収納板（１）とヘッドホン本体側コード収納板（４）の中央に開けられたヘッドホンコード巻き付け具固定用穴（９）にヘッドホンコード巻き付け具固定具（１０）をはめ込んで固定し、保管することも出来る。
【図面の簡単な説明】
【０００７】
【図１】本発明の斜視図
【図２】本発明の斜視図
【図３】本発明の使用状態を示す斜視図
【図４】本発明の使用状態を示す斜視図
【図５】本発明の使用状態を示す斜視図
【符号の説明】
【０００８】  （１）ピンジャック側コード収納板
（２）巻き付け軸
（３）ピンジャックコード引っ掛け溝
（４）ヘッドホン本体側コード収納板
（５）ヘッドホン本体側コード引っ掛け溝
（６）ピンジャック固定具
（７）オーバーヘッド型ヘッドホン固定具
（８）インナーイヤー型ヘッドホン固定具
（９）ヘッドホンコード巻き付け具固定用穴
（１０）ヘッドホンコード巻き付け具固定具
（１１）ピンジャック
（１２）オーバーヘッド型ヘッドホン
（１３）インナーイヤー型ヘッドホン
【図１】
2012222805.tif 000003
【図２】
2012222805.tif 000004
【図３】
2012222805.tif 000005
【図４】
2012222805.tif 000006
【図５】
2012222805.tif 000007